(57)【要約】      （修正有）【課題】ティッシュペーパーを一部だけ引き出して切断し、一部だけ用いることができ、ティッシュを引き出すことが容易で、引き出す量を好み通りに加減できるティッシュペーパー切断具を提供する。【解決手段】ティッシュ３０を取り出すスリット１６の上方の、取出し用スリットから離れた位置に、ティッシュペーパーに分断裂傷をもたらす突端２５ａを有する切断具を取り付け可能に設ける。ティッシュは、分断裂傷を起点にティッシュの繊維に沿った方向に避けて二つに分かれる。切断具は、マグネットや面ファスナーにより容易に、付け外しすることができる。突端及び突端に連なる案内端２５ｂの向きによって、ティッシュを縦方向、又は横方向に裂くことができる。【選択図】図２
0003228496.tif 000002
【実用新案登録請求の範囲】
【請求項１】
容器に積層して収納されたティッシュペーパーが前記容器の天井壁に備えた取出し用スリットから順に引き出されるようにされており、
前記取出し用スリットからティッシュペーパーが引き出される方向に離れた位置に、前記ティッシュペーパーに分断裂傷をもたらす突端を備え、
前記容器に付け外しできるように取付けられたティッシュペーパー切断具。
【請求項２】
前記容器に直接取り付けられたことを特徴とする請求項１に記載のティッシュペーパー切断具。
【請求項３】
前記容器の外側に設けた外箱に取り付けられたことを特徴とする請求項１に記載のティッシュペーパー切断具。
【請求項４】
前記突端を備えた立ち上がり部と前記外箱の天井壁の裏面に挿入される挿入部とを備えたカッター部材を備え、
前記カッター部材は、前記挿入部に設けた接合部材と前記外箱の天井壁に設けた接合部材の接合により前記外容器に取り付けられる
ことを特徴とする請求個３に記載のティッシュペーパー切断具。
【請求項５】
前記容器の外側を帯状に囲む枠体で成ることを特徴とする請求項１に記載のティッシュペーパー切断具。
【請求項６】
前記ティッシュペーパー切断具は、前記容器又は前記容器の外側に設けた外箱に磁石で取り付けられており、
前記磁石の磁力は、前記ティッシュペーパー切断具に作業者の身体の一部が衝突する程度の軽い衝撃を与えた際には外れる程度の磁力であることを特徴とする請求項１から請求項４のいずれか一項に記載の前記ティッシュペーパー切断具。
【請求項７】
前記突端は、前記ティッシュペーパーがティッシュペーパーの目の向きに沿って裂けるよう案内する案内端を備え、
前記案内端は前記突端と連続しており、前記ティッシュペーパーの目の方向と同じ方向に延びることを特徴とする請求項１から請求項６のいずれか一項に記載のティッシュペーパー切断具。
【請求項８】
前記ティッシュペーパーが、前記スリットと平行する方向に切断されることを特徴とする請求項７に記載のティッシュペーパー切断具。
【請求項９】
前記ティッシュペーパーが、前記スリットと直行する方向に切断されることを特徴とする請求項７に記載のティッシュペーパー切断具。
【請求項１０】
前記容器の底壁が鉛直方向軸と平行な方向に延び、前記ティッシュペーパーは水平方向に向けて引き出されることを特徴とする請求項１から請求項９のいずれか一項に記載のティッシュペーパー切断具。
【考案の詳細な説明】
【技術分野】
【０００１】
本考案は、ティッシュペーパーに分断裂傷をもたらす突端を備えたティッシュペーパー切断具に関する。
【背景技術】
【０００２】
ティッシュペーパーは、通常、直方体の紙箱の中に１枚ずつ積層して収納されており、使用者は、紙箱の天井壁に設けたスリットからティッシュペーパーを一枚ずつ引き出して用いる。一般的なティッシュペーパーは通常２０ｃｍ四方であるところ、ティッシュペーパーの使用目的等次第で、２０ｃｍ四方の大きさは必要がなく半分又は一部で足りる場合がある。しかし、そのような場合であっても、ティッシュペーパーは一枚出てきてしまう。そこで、ティッシュペーパーを一部だけ引き出して切断し、一部だけ用いることができる機構があれば、省資源の観点で望ましい。そのような機構にあってはティッシュを容易に引き出すことができることが望ましい。また、引き出す量を好み通りに加減できるのが望ましい。また、ある時はティッシュペーパーを一部のみ引き出すように用い、ある時は通常通り一枚全体を引き出すように用いる、といったように、自在かつ簡易に切り替えることができるのが望ましい。
【０００３】
特許文献１には、図８に示す通り、ティッシュ１１０を収納した箱１００の天井壁の一部が形成する突出片１０１による機構が記載されている。突出片１０１は、天井壁の一部を折り曲げ立ち上げて構成されている。この機構では、一方の手でティッシュ１１０を箱１００から一枚引き出し、半分くらい引き出したところで、他方の手でティッシュ１１０に突出片１０１を押し付ける。次にティッシュ１１０を引く方向を約９０度変更し、突出片１０１の方向に引く。そうすることにより、突出片１０１の先端が、ティッシュ１１０に分断裂傷をもたらす。ティッシュ１１０をさらに引くと、分断裂傷が生じた位置からティッシュの繊維の向く方向（ティッシュの引き出し口と平行な方向）に沿って裂けが広がり、ティッシュ１１０は切断される。切断により、一方は箱１００から引き出され、残った他方は引き出されずに箱１００の中に残る（図８の右側に示す）。特許文献１の機構にあっては、ティッシュ１１０を切断するにあたり、一方の手はティッシュ１１０を引くのに用い、他方の手は突出片１０１をティッシュ１１０に押し付けるのに用いるため、両手が必要である。また、ティッシュ１１０に突出片１０１を押し付ける際、箱の厚さ方向に強い力がはたらく。箱１００はほとんどの場合紙製であるところ、強い力が繰り返しはたらく結果、箱内のティッシュの減少と並行して箱１００がつぶれていく、という問題があった。
【０００４】
特許文献２には、ティッシュペーパーの紙箱に、紙箱の上部をほぼ覆うように載置した蓋であって、蓋の一辺を用いてティッシュペーパーを小さくちぎる機構が記載されている。特許文献２にあっては、蓋の一辺がティッシュペーパーをちぎるカッターとして機能するため、ティッシュをちぎるために、特に、ちぎり初めにはある程度の力が必要となり、ちぎりにくさが否めない。
【０００５】
特許文献３には、シートを所定の長さで切断する切断具であって、刃が、シートの引き出し方向に離隔した位置に配置される機構が記載されている。特許文献３の切断具は、シートを切断するカッター部材の切断部位の形状は線状である。
【先行技術文献】
【特許文献】
【０００６】
【特許文献１】特開２０１３−２１６３３７号公報
【特許文献２】実開平７−１７１９６号公報
【特許文献３】実用新案登録第３２１８７７１号公報
【考案の概要】
【考案が解決しようとする課題】
【０００７】
ティッシュペーパーを一部だけ引き出して切断し、一部だけ用いることができる機構を提供することを課題とする。そのような機構であって、ティッシュを引き出すことが容易な機構、引き出す量を好み通りに加減できる機構、を提供することを課題とする。
【０００８】
ティッシュペーパーを一部だけ引き出して切断し、一部だけ用いることができる機構に関し、ある時はそのような機構を用い、ある時は通常通り一枚全体を引き出す機構に戻す、といった切り替えを、自在かつ簡易に行うことができる機構を提供することを課題とする。
【０００９】
ティッシュペーパーを一部だけ引き出して切断し、一部だけ用いることができる機構に関し、使用者がケガすることなく安全に使用できる機構を提供することを課題とする。
【課題を解決するための手段】
【００１０】
（１）容器に積層して収納されたティッシュペーパーが前記容器の天井壁に備えた取出し用スリットから順に引き出されるようにされており、前記取出し用スリットからティッシュペーパーが引き出される方向に離れた位置に、前記ティッシュペーパーに分断裂傷をもたらす突端を備え、前記容器に付け外しできるように取付けられたティッシュペーパー切断具によって課題を解決する。
ティッシュペーパーに分断裂傷をもたらす突端は、ティッシュを当てて引くことによりティッシュに分断のための裂傷を生ぜしめることができれば素材や形状を問わない。突端が分断裂傷をもたらす理由は次の通りと考えられる。ティッシュに、ティッシュを引く方向の力が加わり、かつ、ティッシュの表面に突端が触れると、ティッシュの表面と突端の先端の小さな面との接触面に摩擦力が生じ、ティッシュの表面に突端が触れている箇所よりも後方は、引かれることなく停止状態となる。これにより、分断裂傷が生じる。従って、突端は、ティッシュの表面に触れたときに、後方のティッシュが、引かれる前方のティッシュに追従しない程度の摩擦力を付与するものであれば何でもよい。
例えば数ミリの厚さのアクリルや木材等の板を三角形状にカットした場合の三角形の頂点が突端に相当する。頂点の角度は鈍角でも鋭角でもかまわないが、使用者が突端に触れてけがをすることを避けるためには、鈍角が好ましい。また、ゴム素材を用いた場合には先端が丸型であっても分断裂傷を生ぜしめる突端として機能する。先端が丸い突端とすることによって、使用者のけがを防止することができる。
ティッシュペーパーは生活に身近な場所に置いておくものであるため、使用者が目にして心地良いよう、動植物や抽象的なデザインの一部を突端として利用することも好ましい。
分断裂傷をもたらす突端が、ティッシュの取出し用スリットから離れた位置に備わることによって、ティッシュを分断する位置を、好みの位置に決めることがやり易くなる。
また、スリットから引き出したティッシュを、突端のある側に向けて引くことにより、ティッシュに分断裂傷を生ぜしめティシュを切断して一部だけ用いることができる一方、スリットから引き出したティッシュを、突端のない側に向けて引くことにより、通常通り、一枚全体を引き出すことができる。これにより、切断具を取り付けたままで、ティッシュを一枚引き出すことと、一部を切断して引き出すことを選択利用できる。
切断具を、ティッシュペーパーの容器等に付け外し可能とすることにより、このような切断具の取り付けていない通常のティッシュペーパーに戻すことができる。
【００１１】
（２）前記容器に直接取り付けられたことを特徴とする（１）に記載のティッシュペーパー切断具によって課題を解決する。
容器とは、その中に積層されたティッシュペーパーが納められている容器であり、一般的には紙製の直方体の容器である。切断具を容器に直接取り付けることにより、切断具を簡易に利用できる。
【００１２】
（３）前記容器の外側に設けた外箱に取り付けられたことを特徴とする（１）に記載のティッシュペーパー切断具によって課題を解決する。
切断具を容器の外側に設けた外箱に取り付けることにより、外箱と切断具に、全体として一貫したデザインを施す等、装飾を活かすことができる。
【００１３】
（４）前記突端を備えた立ち上がり部と前記外箱の天井壁の裏面に挿入される挿入部とを備えたカッター部材を備え、前記カッター部材は、前記挿入部に設けた接合部材と前記外箱の天井壁に設けた接合部材の接合により前記外容器に取り付けられることを特徴とする（３）に記載のティッシュペーパー切断具によって課題を解決する。
ティッシュ容器の外側に設けた外箱の形状は、通常、ティッシュ容器に倣って直方体であり、上壁（天井壁）にティッシュの出口となる空所を長軸方向に備える。この空所は、通常、容器のスリットと平行に延び、スリットのすぐ隣に位置する。このため、カッター部材は、ティッシュペーパーの出口に近い、この天井壁に取り付ける。カッター部材は、例えば、立ち上がり部と外箱がＬ字形を呈してなる。Ｌ字型の縦の１の文字に相当する部分が立ち上がり、Ｌ字型の横に向いた１の文字に相当する部分が、天井壁が形成する空所から天井壁の裏側にはまり込む。
接合部材は、例えばマグネットや面ファスナー等、容易に接合できるものであれば何でもよい。
【００１４】
（５）前記容器の外側を帯状に囲む枠体で成ることを特徴とする（１）に記載のティッシュペーパー切断具によって課題を解決する。
容器の外側に外容器を設けないことを想定している。容器の外側を帯状に囲む枠体とは、例えば、容器の左右二つの側面と底面と上面を囲む帯である。上面においては、その帯がつながっておらず、ティッシュの出入り口ように空所が設けてある。そしてその空所に、帯びの一端が刃となって立ち上がり、スリットから引き抜いたティッシュが届く箇所に、その刃が接するようになっている。その刃によって、ティッシュを吐くための分断裂傷を生ぜしめる。
【００１５】
（６）前記ティッシュペーパー切断具は、前記容器又は前記容器の外側に設けた外箱に磁石で取り付けられており、前記磁石の磁力は、前記ティッシュペーパー切断具に作業者の身体の一部が衝突する程度の軽い衝撃を与えた際には外れる程度の磁力であることを特徴とする（１）から（４）のいずれか一項に記載の前記ティッシュペーパー切断具によって課題を解決する。
ティッシュに切断裂傷を生ぜしめる突端が、ティッシュの出てくるスリットから離れた位置に設けてあるため、使用者がこの突端に触れた際に、ケガをすることが考えられる。このため、そのような事故を防止するために、切断具は、作業者の身体の一部が衝突する程度の軽い衝撃を与えた際には、容器や外箱から外れる構造としている。切断具と容器や外箱との取り付けが、磁力によるようにすることにより、そのような構造を容易に得ることができる。
【００１６】
（７）前記突端は、前記ティッシュペーパーがティッシュペーパーの目の向きに沿って裂けるよう案内する案内端を備え、前記案内端は前記突端と連続しており、前記ティッシュペーパーの目の方向と同じ方向に延びることを特徴とする（１）から（６）のいずれか一項に記載のティッシュペーパー切断具によって課題を解決する。
ティッシュペーパーは、ティッシュペーパーを構成する繊維の向き（すなわちティッシュペーパーの目）に沿って裂ける。従って、容易に裂けるよう、突端と連続した案内端を設ける。ティッシュペーパーは、案内端に案内されて、繊維に沿って容易に裂ける。
社会に出回るティッシュペーパーには、ティッシュペーパーを積層する際の折り曲げる向きと、ティッシュペーパーの目すなわちティッシュペーパーの繊維の向きに関し、スリットから引き出した際にスリットと平行する方向に繊維が向くものと、スリットから引き出した際にスリットと直行する方向に繊維が向くものと、二通りある。案内端を、前記突端と連続して設け、ティッシュペーパーの目の方向と同じ方向に延びるよう位置させることにより、ティッシュペーパーは、繊維に沿って、小さな力で裂ける。
【００１７】
（８）前記ティッシュペーパーが、前記スリットと平行する方向に切断されることを特徴とする（７）に記載のティッシュペーパー切断具によって課題を解決する。
繊維がスリットと平行する方向に向いて並ぶように積層したティッシュペーパーに適した切断具である。案内端はスリットと平行する方向に延びる。
【００１８】
（９）前記ティッシュペーパーが、前記スリットと直行する方向に切断されることを特徴とする（７）に記載のティッシュペーパー切断具によって課題を解決する。
繊維がスリットと直行する方向に向いて並ぶように積層したティッシュペーパーに適した切断具である。案内端はスリットと直行する方向に延びる。
【００１９】
（１０）前記容器の底壁が鉛直方向軸と平行な方向に延び、前記ティッシュペーパーは水平方向に向けて引き出されることを特徴とする（１）から（９）のいずれか一項に記載のティッシュペーパー切断具によって課題を解決する。
【考案の効果】
【００２０】
ティッシュペーパーを一部だけ引き出して切断し、一部だけ用いることができる機構を提供できる。そのような機構であって、ティッシュを引き出すことが容易な機構、引き出す量を好み通りに加減できる機構を提供できる。
【００２１】
ティッシュペーパーを一部だけ引き出して切断し、一部だけ用いることができる機構に関し、ある時はそのような機構を用い、ある時は通常通り一枚全体を引き出す機構に戻す、といった切り替えが、自在かつ簡易に切り替えることができる機構を提供できる。
【００２２】
ティッシュペーパーを一部だけ引き出して切断し、一部だけ用いることができる機構に関し、使用者がケガすることなく安全に使用できる機構を提供できる。
【図面の簡単な説明】
【００２３】
【図１】実施例１に係るティッシュペーパー切断機構を示す。
【図２】実施例１に係るティッシュペーパー切断機構の使用状態を示す。
【図３】実施例２に係るティッシュペーパー切断機構を示す。
【図４】実施例２に係るティッシュペーパー切断機構の使用状態を示す。
【図５】実施例３に係るティッシュペーパー切断機構を示す。
【図６】実施例１から実施例３に共通する事故防止機構を示す。
【図７】実施例４に係るティッシュペーパー切断機構を示す。
【図８】従来例に係るティッシュペーパー切断機構を示す。
【考案を実施するための形態】
【００２４】
実施例１から実施例５の概要を説明する。実施例１と実施例２は、ティッシュペーパーの箱に外容器を設けて用いる切断機構の例である。実施例１はティッシュペーパーをティッシュペーパーの取出し口と平行する方向に切断する例であり、実施例２はティッシュペーパーをティッシュペーパーの取出し口と直交する方向に切断する例である。このようにティッシュペーパーを切断する方向が二種類必要な理由は、市場に出回るティッシュペーパーは、繊維の方向が、ティッシュペーパーの取出し口と平行する方向のものと、ティッシュペーパーの取出し口と直交する方向のものの、二種類があり、それぞれ繊維の方向と同じ方向に切断することが必要なためである。実施例３は、実施例１及び実施例２と同様のカッターを、外容器ではなくティッシュペーパーの箱に直接取り付ける例である。実施例４は、外容器を設けない例であり、かつカッターの機構が実施例１から３とは異なる。実施例５（図示しない）は、ティッシュペーパーの箱の底面を例えば部屋の壁に取り付け、ティッシュペーパーが、箱内で重力の向く方向と平行な方向に重ねられた場合の例である。この場合、ティッシュペーパーを引き抜く方向は、実施例１から実施例４に記載したものと直交する方向となる。
【００２５】
以下に、実施例に分けて順に説明する。
【実施例１】
【００２６】
図１に及び図２に実施例１を示す。
【００２７】
図１（ａ）にカッター２０を示す。カッター２０は、立ち上がり部２２と挿入部２３とがＬ字を構成して成り、挿入部２３にはマグネット２４が設けてある。立ち上がり部２２は挿入部２３と連なる箇所を底辺とする三角形を呈している。該三角形の頂点がカッター先端２５ａを構成し、頂点でつながる二つの辺が案内端２５ｂを構成する。
【００２８】
図１（ｂ）に、ティッシュペーパーが箱ごと外容器１の中に納まり、カッター２０を取り付けた状態を示す。ティッシュペーパーは、箱１０の中に、順次一枚ずつ引き出すことができるように折りたたまれ、収納されている（図示せず）。箱１０は折りたたまれたティッシュペーパーよりも一回り大きい直方体である。箱の天井壁には、ティッシュペーパーを引き出すための取出口スリット１６が取出口フィルム１５を介して設けてある。外容器１が箱１０を収納している。外容器１０は上壁３、左右一対の側壁２、底壁（図示せず）、後壁５及び前壁６を備える。上壁３は、長軸方向に、ティッシュペーパーの引き出し口としての空所を備える。箱１０内のティッシュを使い終わった際に箱１０を外容器１から取り出し新たな箱１０と交換できるよう、外容器１の後壁５と前壁６はいずれも外容器１に対して開閉自在に取付けてある。図１では、前壁６が箱１０の出し入れのために開き、後壁５は閉じている。外容器１の上壁３の裏面にはマグネット４が取り付けてある。カッター２０の挿入部２３を、外容器１の上方から上壁３の下側に差し入れ、上壁３の裏面のマグネット４とカッター２０の挿入部２３の表面のマグネットとを接合させる。これにより、外容器１へのカッター２０の取り付けが完了する。
【００２９】
図２により、実施例１におけるティッシュペーパー３０の切断のしかたを説明する。
（ａ）箱１０の取出し口スリット１６からティッシュペーパー３０を引き出す。（ｂ）ティッシュペーパー３０を引く方向をほぼ９０度変更してカッター先端２５ａにティッシュ３０を当て、ティッシュペーパー３０をさらに引くことにより、ティッシュペーパー３０に分断裂傷が生じる。ティッシュペーパー３０をさらに引くと、ティッシュペーパー３０は、案内端２５Ｂに案内されて、繊維に沿って裂けが広がる。
（ｃ）ティッシュペーパー３０をさらに引くことにより、ティッシュペーパー３０は二つに切断される。
【００３０】
カッター２０は、例えば厚さ２ｍｍ程度のアクリル樹脂、木、シリコン、等でなる。ティッシュに分断裂傷を生ぜしめるカッター先端は、例えば三角形の頂点のように、点に近い形態となっていれば足りる。例えばカッターの先端を研いでとがらせたりして、鋭利にする必要はない。
【実施例２】
【００３１】
図３及び図４に実施例２を示す。実施例２は、箱１０の外側に外箱１を設ける点、及び上壁３のマグネット４とカッター２０のマグネットを接合させてカッターと外箱を取り付ける点は、実施例１と同じである。
【００３２】
実施例２では、カッター２０が、カッターの立ち上がり部２２と直交する方向に延びる追加カッター２１を備える。追加カッター２８の先端がカッター先端２５ｃを構成し、追加カッター２８の構成する縁が案内端２５ｄを構成する。
【００３３】
図４により、実施例２におけるティッシュペーパー３０の切断のしかたを説明する。
（ａ）箱１０の取出し口スリット１６からティッシュ３０を引き出す。
（ｂ）ティッシュペーパー３０を引く方向をほぼ９０度変更してカッター先端２５ｃにティッシュ３０を当て、ティッシュペーパー３０をさらに引く。この結果、ティッシュペーパー３０に分断裂傷が生じる。
（ｃ）引続きティッシュペーパー３０を上方に引くと、ティッシュペーパー３０は案内端２５ｄに案内されて繊維に沿って裂けが広がり、一方のティッシュペーパー３０ａが引き抜かれ他方のティッシュペーパー３０ｂは引き抜かれずに箱１０に残る。
（ｄ）残った半分の大きさティッシュペーパー３０ｂを使うときに、ティッシュペーパー３０ｂを引き抜く。
【実施例３】
【００３４】
図５に、実施例３を示す。実施例３では外容器１を設けない。実施例３では、実施例１と同じ構成のカッター２０を用いる。また、カッター２０をティッシュペーパーの箱１０に留めつけるカッター留め具２６を用いる。
【００３５】
図５の（ａ）に示す通り、カッター２０は、立ち上がり部２２と挿入部２３とがＬ字を構成して成り、挿入部２３にはマグネット２４が設けてある。立ち上がり部２２は挿入部２３と連なる箇所を底辺とする三角形を呈しており、該三角形の頂点がカッター先端２５ａを構成している。カッター留め具２６は、カッター２０の挿入部２３と同様の形状を成し、裏面はマグネット２７が取り付けてある。
【００３６】
図５の（ｂ）に示す通り、カッター２０の挿入部２３を、箱１０の上方からティッシュペーパーの取出口スリット１６に差し入れる。箱１０の上方から、カッター留め具２６をあてがい、カッターのマグネット２４とカッター留め具のマグネット２７が接合するよう、カッター留め具２６の位置を、カッターの位置に合わせる。この結果、カッターは、ティッシュペーパーの箱１０に直接取り付けられる。
【００３７】
［事故防止のための機構］
図６に事故防止のための機構を示す。カッター先端はティッシュに分断裂傷を与えることができるよう点に近い形状を先端に備える。このため、カッター先端が使用者等の身体に衝突した際、衝突の向きや衝突の力次第で、使用者等がケガをする事故が起き得る。図６はそのような事故を防止するための機構である。この事故防止機構は実施例１から実施例３に共通する機構であるが、図６では実施例１と実施例２に設けた場合を示した。
【００３８】
（ａ）に示す通り、カッター２０は、カッター２０に設けたマグネット２４と外容器１に設けたマグネット４の接合により、外容器１に取り付けてある。（ｂ）に示す通り、カッターの立ち上がり部２２が何かに触れてカッター２０に力が加わると、マグネット（４，２４）による接合が外れて、カッターは外容器から外れ落ちる。すなわち、マグネット（４，２４）は、磁力がその程度のマグネットを用いる。カッターが外容器から容易に外れ落ちることによって、使用者等のケガの事故を防ぐことができる。
【実施例４】
【００３９】
図７に、実施例４を示す。実施例７では、帯状の外枠体４０が、ティッシュペーパーの箱１０を囲む。外枠体４０の先端にカッター先端４５ａが設けてある。実施例４によるティッシュペーパーの切断のやり方は図示しないが、実施例１と同様である。すなわち、箱１０の取出し口スリット１６からティッシュ３０を引き出す。カッター先端４５ａにティッシュ３０を当て、ティッシュを引く方向をカッター先端４５ａの方向に変更して、ティッシュペーパー３０に分断裂傷を生ぜしめ、ティッシュペーパー３０をさらに引く。そうすると、ティッシュペーパーは二つに切断される。
【実施例５】
【００４０】
実施例５は図示しないが、ティッシュペーパーが、箱内で重力の向く方向と平行な方向に重ねられた場合の例である。例えば、ティッシュペーパーの箱の底面を例えば部屋の壁に取り付けた場合にそのような状態になる。この場合、ティッシュペーパーを引き抜く方向は、実施例１から実施例４に記載したものと直交する方向に向く。このように、ティッシュペーパーを引き抜く方向が重力と直交する方向の場合であって、実施例１から実施例４に示したティッシュペーパー切断機構を用いるのが、実施例５である。
【符号の説明】
【００４１】
１  外容器
２  側壁
３  上壁
４  マグネット
５  後壁
６  前壁
１０  箱
１５  取出口フィルム
１６  取出口スリット
２０  カッター
２２  立ち上がり部
２３  挿入部
２４  マグネット
２５ａ  カッター先端
２５ｂ  案内端
２５ｃ  カッター先端
２５ｄ  案内端
２６  カッター留め具
２７  マグネット
２８  追加カッター
３０、３０ａ、３０ｂ  ティッシュ
４０  外枠体
４５ａ  カッター先端
１００  箱
１０１  突出片
１１０  ティッシュ
【図１】
0003228496.tif 000003
【図２】
0003228496.tif 000004
【図３】
0003228496.tif 000005
【図４】
0003228496.tif 000006
【図５】
0003228496.tif 000007
【図６】
0003228496.tif 000008
【図７】
0003228496.tif 000009
【図８】
0003228496.tif 000010
【手続補正書】
【提出日】令和2年7月22日(2020.7.22)
【手続補正１】
【補正対象書類名】実用新案登録請求の範囲
【補正対象項目名】全文
【補正方法】変更
【補正の内容】
【実用新案登録請求の範囲】
【請求項１】
容器に積層して収納されたティッシュペーパーが前記容器の天井壁に備えた取出し用スリットから順に引き出されるようにされており、
前記取出し用スリットからティッシュペーパーが引き出される方向に離れた位置に、前記ティッシュペーパーに分断裂傷をもたらす突端を備え、
前記容器に付け外しできるように取付けられたティッシュペーパー切断具。
【請求項２】
前記容器に直接取り付けられたことを特徴とする請求項１に記載のティッシュペーパー切断具。
【請求項３】
前記容器の外側に設けた外箱に取り付けられたことを特徴とする請求項１に記載のティッシュペーパー切断具。
【請求項４】
前記突端を備えた立ち上がり部と前記外箱の天井壁の裏面に挿入される挿入部とを備えたカッター部材を備え、
前記カッター部材は、前記挿入部に設けた接合部材と前記外箱の天井壁に設けた接合部材の接合により前記外容器に取り付けられる
ことを特徴とする請求項３に記載のティッシュペーパー切断具。
【請求項５】
前記容器の外側を帯状に囲む枠体で成ることを特徴とする請求項１に記載のティッシュペーパー切断具。
【請求項６】
前記ティッシュペーパー切断具は、前記容器又は前記容器の外側に設けた外箱に磁石で取り付けられており、
前記磁石の磁力は、前記ティッシュペーパー切断具に作業者の身体の一部が衝突する程度の軽い衝撃を与えた際には外れる程度の磁力であることを特徴とする請求項１から請求項４のいずれか一項に記載の前記ティッシュペーパー切断具。
【請求項７】
前記突端は、前記ティッシュペーパーがティッシュペーパーの目の向きに沿って裂けるよう案内する案内端を備え、
前記案内端は前記突端と連続しており、前記ティッシュペーパーの目の方向と同じ方向に延びることを特徴とする請求項１から請求項６のいずれか一項に記載のティッシュペーパー切断具。
【請求項８】
前記ティッシュペーパーが、前記スリットと平行する方向に切断されることを特徴とする請求項７に記載のティッシュペーパー切断具。
【請求項９】
前記ティッシュペーパーが、前記スリットと直行する方向に切断されることを特徴とする請求項７に記載のティッシュペーパー切断具。
【請求項１０】
前記容器の底壁が鉛直方向軸と平行な方向に延び、前記ティッシュペーパーは水平方向に向けて引き出されることを特徴とする請求項１から請求項９のいずれか一項に記載のティッシュペーパー切断具。